(57)【要約】【目的】種々の電圧の種々のケーブルについて、配電架空線路に対し使用することができるような分岐コネクタを提供すること。【解決手段】少なくともその内の１つが、少なくとも１つの金属接触部材（５５、５６）を備える、全体的に円筒形の２つの収納部を間に画成する硬質絶縁材の、少なくとも２つのあご部（１０、２０）を一方で備え、前記２つのあご部（１０、２０）を互いに近付けることを可能にしている締め付け手段（３０）を他方で備える分岐コネクタ。前記２つのあご部は、中央ねじ（３０）及びナット（３３）を有する前記締め付け手段の通過孔（１４、２５）を備え、前記ねじ（３０）の頭部は、前記上部あご部（１０）の上面に支持され、他方その対向する端部で、前記ねじ（３０）は把持及びねじ締めリング（４１）と連結され、ナット（３３）は、前記下部あご部（２０）に対して回転を阻止されている。【選択図】　　　図３
2004055508.tif 000002
【特許請求の範囲】
【請求項１】
一方が、通過が想定されるいわゆる主ケーブル（Ｐ）である第１のケーブルを収納するためのいわゆる主収納部であり、他方が、切断が想定されるいわゆる分岐ケーブル（Ｄ）である第２のケーブルを収納するためのいわゆる分岐収納部であり、少なくともその内の１つは、各収納部内に一部分が配置されて収納部に対して全体的に横方向に延在する、少なくとも１つの金属接触部材（５５、５６）を備える、全体的に円筒形の２つの収納部を間に画成する硬質絶縁材の、少なくとも２つのあご部（１０、２０）を一方で備え、
自身が前記収納部に対して全体的に横方向に介在し、前記２つのあご部（１０、２０）を互いに近付けることを可能にしている締め付け手段（３０）を他方で備える種類の分岐コネクタであって、
一方（１０）が鉤爪（１３）を備えた上部の、他方（２０）が下部の前記２つのあご部は、中央ねじ（３０）及びナット（３３）を有する前記締め付け手段用の通過孔（１４、２５）を備え、
前記上部あご部（１０）の通過孔（１４）は、前記収納部の方向に対して横方向に延在する細長い形状であり、
弾性スリーブ（３２）は、前記通過孔（１４、２５）を利用して前記２つのあご部（１０、２０）も同様に通過する前記ねじ（３０）がこれを通過して、前記２つのあご部（１０、２０）の間に延在し、
前記下部あご部（２０）は、前記上部あご部（１０）が間を案内される全体的に平行な側面（２３、２４）を備え、
前記ねじ（３０）の頭部は、前記上部あご部（１０）の上面に支持されるようになっていて、他方その対向する端部で、前記ねじ（３０）は把持及びねじ締めリング（４１）と連結され、
雄ねじを受けるタイプのナット（３３）は、前記下部あご部（２０）に対して回転が阻止されていることを特徴とする分岐コネクタ。
【請求項２】
前記下部あご部（２０）の側面（２３、２４）は、仕切り形状の横材（２９）によって連結されることを特徴とする請求項１に記載の分岐コネクタ。
【請求項３】
前記横材（２９）は、前記側面（２３、２４）の高さのほぼ全体にわたり、当該側面の外縁部と直角を成して延在することを特徴とする請求項２に記載の分岐コネクタ。
【請求項４】
前記側面（２３、２４）の内縁部は、主ケーブル（Ｐ）用の半管（２１）の発端部と直角を成して延在することを特徴とする請求項３に記載の分岐コネクタ。
【請求項５】
前記側面（２３、２４）は、分岐ケーブル（Ｄ）用の通路（４２、４３）に沿って溝又はレール（２６）を有することを特徴とする請求項１から４のいずれかに記載の分岐コネクタ。
【請求項６】
前記溝又はレール（２６）は、開放端部にめくら端部栓（４４）が設けられたフランジ（２８）を収納するようになっていることを特徴とする請求項５に記載の分岐コネクタ。
【請求項７】
可撓継手（４５）は、前記端部栓（４４）内に配置されるようになっていることを特徴とする請求項６に記載の分岐コネクタ。
【請求項８】
ラチェット機構手段（４７、５７）は、前記下部あご部（２０）に対して前記端部栓（４４）を固定することを特徴とする請求項５又は６のいずれかに記載の分岐コネクタ。
【請求項９】
前記溝又はレール（２６）は、端部の一方に分岐ケーブル（Ｄ）用の入口スリーブ（３４）が設けられたフランジ（３５）を収納するようになっていることを特徴とする請求項５から８のいずれかに記載の分岐コネクタ。
【請求項１０】
前記入口スリーブ（３４）は、折損可能な領域（３９）において、締め付けねじ（３７）を収納するようになっているねじ切り孔を開けられた尾部（３６）を備えることを特徴とする請求項９に記載の分岐コネクタ。
【請求項１１】
固定手段（４９）は、前記下部あご部（２０）に対して前記入口スリーブ（３４）を固定することを特徴とする請求項９又は１０のいずれかに記載の分岐コネクタ。
【請求項１２】
前記上部あご部（１０）の爪（１３）は、前記コネクタの静止位置で、鉛直線と約５０度の角度を成し、その端部は、前記下部あご部（２０）の前記接触部材（５６）と垂直であることを特徴とする請求項１から１１のいずれかに記載の分岐コネクタ。
【発明の詳細な説明】
【０００１】
【発明が属する技術分野】
本発明は全体として分岐コネクタに関する。
【０００２】
【従来の技術と発明が解決しようとする課題】
分岐コネクタは、一方では全体的に円筒形の２つの収納部をその間に画成する絶縁材、より正確には硬質絶縁材からなる少なくとも２つのあご部を備える種類のものであり、当該収納部は、一方がいわゆる主ケーブルである第１のケーブルを収納するためのいわゆる主収納部であり、他方がいわゆる分岐ケーブルである第２のケーブルを収納するためのいわゆる分岐収納部であり、少なくともその内の１つが少なくとも１つの金属接触部材を備える。この金属接触部材は、一部分が各収納部内に配置され、対応するケーブルの電導性心線に達することを可能にし、収納部に対して全体的に横方向に延在する。あご部また、分岐コネクタは、他方では締め付け手段を備える種類のものである。この締め付け手段とは、自身が収納部に対して全体的に横方向に介在し、２つのケーブルに対して同時に締め付けるために、及びこのために適切に存在する当該１つの又は複数の接触部材を介した当該２つのケーブルの間の電気接続を確立するために、２つのあご部を互いに近付けることを可能にしている。
【０００３】
このような分岐コネクタは、配電ケーブルに特に応用される（例えば、特許文献１を参照。）。また、このような分岐コネクタは、例えばすでにしかるべき場所にあるが故に通過が想定される、すなわち通過に介在することが想定される主ケーブルを、例えば主ケーブルからの何らかの電気設備の連絡を確実にせねばならないが故に切断が想定される、すなわち切断端部による局部的な介在が想定される分岐ケーブルに対して接続させることを例えば可能にする。
【０００４】
【特許文献１】
仏国特許出願公開第２６０１５１６号明細書
【０００５】
【発明が解決しようとする課題】
本発明は、低、中又は高圧でも、むき出しの又は絶縁ケーブルでも、配電架空線路に対し使用することができるような上記種類の分岐コネクタを提供することを目的とし、そのむき出しの又は絶縁ケーブルの分岐は、配電線に通電している時に、従来の絶縁操作棒を用いて距離をおいて行うこともできる。
本発明のもう一つの目的は、製造が簡易な、従って原価が低い上記種類の分岐コネクタを提供することである。
【０００６】
【課題を解決するための手段】
上記の及び他の目的を達成するために、本発明の一態様にかかる分岐コネクタは、一方が、通過が想定されるいわゆる主ケーブルである第１のケーブルを収納するためのいわゆる主収納部であり、他方が、切断が想定されるいわゆる分岐ケーブルである第２のケーブルを収納するためのいわゆる分岐収納部であり、少なくともその内の１つは、各収納部内に一部分が配置されて収納部に対して全体的に横方向に延在する少なくとも１つの金属接触部材を備える、全体的に円筒形の２つの収納部を間に画成する硬質絶縁材からなる、少なくとも２つのあご部を一方で備え、自身が収納部に対して全体的に横方向に介在し、２つのあご部を互いに近付けることを可能にしている締め付け手段を他方で備え、一方が鉤爪を備えた上部の、他方が下部の２つのあご部が、中央ねじ及びナットを有する締め付け手段の通過孔を備え、当該上部あご部の通過孔は、収納部の方向に対して横方向に延在する細長い形状であり、弾性スリーブは、前記通過孔を利用して２つのあご部も同様に通過するねじがこれを通過し、２つのあご部の間に延在し、下部あご部は、上部あご部が間を案内される全体的に平行な側面を備え、ねじの頭部は、上部あご部の上面に支持されるようになっていて、他方その対向する端部で、ねじは把持及びねじ締めリングと連結され、雄ねじを受けるタイプのナットは、下部あご部に対して回転を阻止されていることを特徴とする。
【０００７】
好適には、下部あご部の側面は、仕切り形状の横材によって連結される。
【０００８】
好ましくは、横材は、側面の高さのほぼ全体にわたり、当該側面の外縁部と直角を成して延在する。
【０００９】
好適には、側面の内縁部は、主ケーブル用の半管の発端部と直角を成して延在する。
【００１０】
好適には、側面は、分岐ケーブル用の通路に沿って溝又はレールを有する。
【００１１】
好ましくは、溝又はレールは、開放端部にめくら端部栓が設けられたフランジを収納するようになっている。
【００１２】
好適には、可撓継手は、端部栓内に位置を占めるようになっている。
【００１３】
好ましくは、ラチェット機構手段は、下部あご部に対して端部栓を固定する。
【００１４】
好適には、側面の溝又はレールは、端部の一方に分岐ケーブル用の入口スリーブが設けられたフランジを収納するようになっている。
【００１５】
好ましくは、入口スリーブは、折れやすい領域において、締め付けねじを収納するようになっているねじ切り孔を開けられた尾部を備える。
【００１６】
好適には、固定手段は、下部あご部に対して入口スリーブを固定する。
【００１７】
好ましくは、上部あご部の爪は、コネクタの静止位置で、鉛直線と約５０度の角度を成し、その端部は、下部あご部の接触部材と垂直である。
【００１８】
本発明の対象をより良く理解させるために、添付の図面に示したその実施態様を、専ら例証的であるが限定的でない例としてこれから記載する。
【００１９】
【発明の実施の形態】
本発明の一実施形態による分岐コネクタは、一方が上部１０で、他方が下部２０の、機械的に耐久力を有する硬質な成形絶縁材の、２つのあご部１０、２０を一方で備え、当該あご部は、各々が、一方１１、１２が他方２１及び２２と向かい合って作られた、対向する半円筒形の半管１１、１２、２１、２２を備え、上部あご部１０及び下部あご部２０を閉鎖するための接近の際に、一方が、いわゆる主たる第１のケーブルＰを収納するためのいわゆる主収納部であり、他方が、いわゆる分岐ケーブルＤである第２のケーブルを収納するためのいわゆる分岐収納部である、全体的に円筒形の２つの収納部を構成する。また、分岐コネクタは、他方では、それ自身が収納部に対して全体的に横方向に介在し、２つのあご部１０、２０を互いに近付けることを可能にできる締め付け手段３０を備える。
【００２０】
上部あご部１０は、ここでは配電架空線路のケーブルである主ケーブルＰに対するコネクタの導入及び懸架を容易にするための、上部あご部１０と一体に成形された鉤爪１３を備え、図８に示されるように、爪１３の引掛けは、従来の絶縁操作棒４０によって地面から行われる。
【００２１】
両方のあご部１０、２０は、ここでは中央ねじ３０である締め付け手段用の通過孔１４、２５を備える。上部あご部１０の通過孔１４は、この上部あご部１０の横動遊間のための細長い形状を有する。
【００２２】
各あご部１０、２０は、５１及び５２のような小孔を、通過孔１４及び２５の両側に対称的に有し、主ケーブルＰ及び分岐ケーブルＤの間の電気接続を確保する、ここでは金属接触ブレード５５、５６である、接触部材が嵌めこまれた、弾性的に変形可能な可撓絶縁材からなる受け部材５３、５４が、上記小孔の中に収納され、かつ固定される。
【００２３】
２つのあご部を互いに近付けること及び傾けることによるコネクタの懸架及び締め付けは、自由回転で取り付けられた中央ねじ３０によって行われ、その頭部は、好適にはワッシャ３１を介して上部あご部１０の上面と協働し、下部あご部２０に形状の協働によって捉えられたねじ切りナット３３内にねじ締めされる。
【００２４】
このように、中央ねじ３０の頭部は、上部あご部１０の側に、かつナット３３は、下部あご部２０の側に介在する。
【００２５】
ナット３３は、下部あご部２０に設けられた収納部内で回転が阻止されており、中央ねじ３０は、把持及びねじ締めリング４１をそのねじ切りされた軸の先端で支え、当該把持及びねじ締めリングを介して回転制御がなされることとなっており、また、当該把持及びねじ締めリングは、対応する軸方向締め付け応力の調整のための一定のねじり応力で撓むことが可能である。操作棒４０によって行われる正確な係合によるリング４１の制御は、２つのほぞ２７により、コネクタ上に確保される。当該２つのほぞは、下部あご部２０の基部と一体成形され、中央ねじ３０の両側に横方向に配置され、棒４０の頭部の補助的なほぞ穴内に嵌めこまれるようになっている。
【００２６】
ここで、２つの上部あご部１０及び下部あご部２０は、収納部に対して全体的に横方向に延在する金属接触ブレード５５、５６を備え、各収納部内には穿孔用の部分５５Ｐ、５６Ｐが設けられている。ここで２つの接触部材５５は、上部あご部１０の内面、すなわち下部あご部２０に向けられたこのあご部１０の表面において、互いに距離を保って、互いに平行に設けられ、２つの接触部材５６は、下部あご部２０の内面、すなわち上部あご部１０に向けられたこのあご部２０の表面において、互いに距離を保って、互いに平行に設けられる。実際上、これらの接触部材５５、５６は、同一であり、かつ各々が適宜に鋸歯状となった金属ブレード又は小板から形成される。ここで、接触部分５５Ｐ及び５６Ｐは、歯である。
【００２７】
それ自体は公知の方法によって、密封取り付け具５３、５４、即ち接触部分５５Ｐ、５６Ｐをこれらが完全に噛合うように取り囲む可撓絶縁材を有する受け部材は、各接触ブレード５５、５６に連結される。
【００２８】
２つの接触ブレード５５又は５６は、互いに平行に設けられ、対応する密封取り付け具即ち受け部材５３又は５４は、ここではケーブル収納部と平行な２つの横材５７又は５８の、少なくとも１つによって互いに連結され、当該密封取り付け具は、両方とも、関連するあご部の内面にパッキンを形成するものと同じ部材に属する。２つの横材は、中央ねじ３０の両側に延在する。
【００２９】
各接触部材に関して、密封取り付け具は、それらが接触部分５５Ｐ、５６Ｐに対して係合される覆いをその端部に有し、これらの各覆いは、対応する歯５５Ｐ、５６Ｐの全部又は一部が通り抜けるのに適するように表面に穿孔されて小窓が開けられる。その上、各接触部材に関して、密封取り付け具は、接触部分の間でこのような接触部材を密封取り付け具が局部的に締め付ける、中間領域がないケープ（ｃａｐｅ）を有し、このケープは、２つの覆いの一方から他方に、それらに連続して延在する。
【００３０】
下部あご部２０は、２つのあご部１０、２０が締め付けで接近する時に、上部あご部１０が滑動する案内側面２３、２４を有する。図３及び４に示されるように、この滑動は、上部あご部１０が側方に担持する滑り座１５によって容易となる。
【００３１】
仕切り形状の横材２９は、下部あご部２０の側面２３と側面２４とを連結する。横材は、側面の高さのほぼ全体にわたり、その外縁部と直角を成して延出し、他方前記側面の内縁部は、主ケーブル用の半管２１の発端部に延出する。
【００３２】
分岐収納部の少なくとも一方の端部で、あご部１０、２０の一方、この場合下部あご部２０に、端部栓４４が結合され、当該端部栓には分岐ケーブルがその切断端部によって係合されるようになっている。
【００３３】
端部栓４４は、行き止まりになっている。それは、好適には少なくとも部分的に円錐台形状であっても良い。図３、５及び７に示されるように、端部栓は分岐ケーブル用の通路４２、４３に沿って下部あご部２０がその側面２３、２４に備える溝又はレール２６と協働するようになっているフランジ２８をその開放端部に有する。ここで、溝又はレール２６は、下方に向かって開口したＵ字型である。突起及び凹部のような締め付け又は停止手段は、分岐ケーブルがコネクタ内に存在しない限り、端部栓４４をしかるべき場所に固定する。ここで、図５及び７に示されるように、フランジ２８周縁のボス４７及び溝２６底部のボス５７は、栓４４のラチェット機構を可能にする。好適には指ぬき形状の可撓継手４５　が、分岐ケーブル及び端部栓４４の間に、後者の中に位置を占めて配置される。弾性リップ４８は、栓４４内でのその保持が可能となっている。
【００３４】
下部あご部２０は、その各側面２３、２４に、透明の絶縁プラスチック材の分岐ケーブル用のフランジ３５において入口スリーブ３４を一様に収納することが可能な、又は端部栓４４を一様に収納することが可能なレール２６を備える。図４及び６のスリーブ３４と連結された脚部４９は、溝２６の外面に支持されて、スリーブ３４を垂直に固定する。
【００３５】
分岐ケーブルをその収納部内部で滑動させずに保持するために、入口スリーブ３４は、締め付け頭部３８及び折損可能な領域３９において、絶縁プラスチックからなる締め付けねじ３７を入れるようになっているねじ切り孔を開けられた、当該入口スリーブと一体成形の尾部３６を備える。
【００３６】
理解されるであろう通り、分岐ケーブルＤ用の入口スリーブ３４及び栓４４は、コネクタに対する分岐ケーブルＤの所望の位置に応じてコネクタのいずれかの側に配置し得る。このことは図面に示され、ここでは図１、２、４、８及び９の分岐ケーブルＤの出口が、図３及び５に示したそれと異なることが判る。
【００３７】
接触ブレード５５及び５６に対する分岐ケーブルの正確な位置決めを得るために、操作者は、端部栓４４の底部に明確なケーブルの止め具を確保する。
【００３８】
中央ねじ３０は、両方のあご部に支持されることにより、主ケーブルに対するコネクタの引掛けを容易にするために最大離間位置に両方のあご部を保持する、軸方向でのばねのような弾性を備えた、比較的柔軟な絶縁材からなるアコーディオン状の蛇腹を有するさやのような弾性スリーブ３２によって取り囲まれる。また、弾性スリーブ３２は、２つのあご部１０及び２０の間の通路における中央ねじ３０の必要な絶縁、即ち主伝導体が通電されているむき出しのケーブルの場合に必要となる絶縁あご部を構成する。
【００３９】
実際、本発明による分岐コネクタは、主ケーブルＰ及び分岐ケーブルＤのタイプが何であれ、すなわち、それらがむき出しであり又は絶縁されていても使用し得る。接触ブレードは当然に各場合に適合する。例えば、図３のブレード５５及び５６は、２つのケーブルが絶縁されている場合に対応し、歯５５Ｐ及び５６Ｐは、絶縁体を貫通するようになっている。
【００４０】
図１０に、歯１５５Ｐ及び１５６Ｐにより絶縁ケーブルと、半円筒形横材１６５、１６６によりむき出しのケーブルと協働するようにされたブレードのセット１５５、１５６を示した。継手即ち受け部材１５３、１５４は、当然に前記ブレードのセットに適合する。
【００４１】
好適には、中央ねじ３０も同様に、その締め付け動作の後にコネクタを回収するために、しかも好ましくは従来の絶縁棒により地面からコネクタを緩めることを可能にするように構成された、締め付けトルク制限装置を備える。
【００４２】
このようなトルク制限装置は、例えば、中央ねじ３０の先端に、一方が他方の上に軸方向に配置され、最端部が折れやすい２つのリングからなっても良く、第２のものは、場合によって起こり得る、コネクタからの距離をおいた取り外しに使用可能なままにしてある。
【００４３】
限定された数の部材からなる、本発明によるコネクタの簡素さが注目されよう。上部あご部１０は、連接軸なしで、下部あご部２０に対し連接して取り付けられる。取り付けの遊びを除けば、幅がおよそねじ３０の直径の大きさで、換言すれば後者より僅かに大きい、細長い通過孔１４によって可能にされる、このような運動を容易にするために、図面で見られるように、上部あご部１０の上面１６に外側に向けられた凸状部分を有する半円筒形状を与えても良い。
【００４４】
主ケーブルに対して開放されたコネクタの引掛りを確保するために、上部あご部１０の爪１３に十分な大きさを与えることができる。図２に示されるように、それは好適には、コネクタの開放静止位置で、鉛直線と約５０度の角度を成し、その端部は、下部あご部２０によって担持される接触ブレード５６と垂直になる。
【図面の簡単な説明】
【図１】図１は、本発明による分岐コネクタの正面斜め横からの図である。
【図２】図２は、図１のコネクタの側面図である。
【図３】図３は、図１及び２のコネクタの分解組立て斜視図である。
【図４】図４は、正面から見たコネクタの軸方向断面図である。
【図５】図５は、端部栓のラチェット機構を示す部分的に断面をとった側面図である。
【図６】図６は、図４及び５に関する部分拡大図である。
【図７】図７は、図４及び５に関する部分拡大図である。
【図８】図８は、棒を用いたその使用状態を示す図１から３のコネクタの斜視図である。
【図９】図９は、稼動位置におけるコネクタを示す側面図である。
【図１０】図１０は、接触ブレード及び受け部材の変形例を示す。
【図１】
2004055508.tif 000003
【図２】
2004055508.tif 000004
【図３】
2004055508.tif 000005
【図４】
2004055508.tif 000006
【図５】
2004055508.tif 000007
【図６】
2004055508.tif 000008
【図７】
2004055508.tif 000009
【図８】
2004055508.tif 000010
【図９】
2004055508.tif 000011
【図１０】
2004055508.tif 000012